(57)【特許請求の範囲】
【請求項１】
負荷部に電力を供給するコードを収納するコード収納装置であって、
内面を有し、折り返されている前記コードを束ねるように、前記内面で前記コードを保持するコード保持部と、
前記コードの一端が引き出されているコード引出部と、
取付面に取り付けられるベース部と
を備え、
前記コード保持部は、
前記ベース部に対向すると共に前記ベース部に沿って延びている第１保持部と、
前記第１保持部の基端部から前記ベース部に向かって延びている第２保持部と
を含む、コード収納装置。
【請求項２】
前記コード保持部は、前記第１保持部の先端部から前記ベース部に向かって延びている第３保持部をさらに含む、請求項１に記載のコード収納装置。
【請求項３】
前記第３保持部の先端は、前記ベース部から離間している、請求項２に記載のコード収納装置。
【請求項４】
前記コード保持部と前記コード引出部とを覆う第１カバー部をさらに備え、
前記コード引出部は、
前記コードを挟持している挟持部と、
前記挟持部が固定される固定部と
を含み、
前記第１カバー部は、前記挟持部に螺合している螺合部を含み、
前記螺合部の先端は、前記固定部に当接している、請求項１に記載のコード収納装置。
【請求項５】
前記螺合部の前記先端が前記固定部に当接しているときに、前記第１カバー部の基端は、前記ベース部のうち前記取付面に対向する面よりも、前記コードの引出方向に向かって前記固定部の側に位置している、請求項４に記載のコード収納装置。
【請求項６】
前記コードを介して前記負荷部としての光源部に電力を供給する電源部と、
前記電源部を収容する収容部と
をさらに備え、
平面視において、前記コード保持部と前記コード引出部と前記収容部とは、互いに異なる位置に配置されている、請求項１に記載のコード収納装置。
【請求項７】
前記収容部を覆う第２カバー部をさらに備え、
前記第２カバー部は、前記ベース部に向かって、前記電源部から延びる前記コードを押圧している、請求項６に記載のコード収納装置。
【請求項８】
請求項１から請求項７のいずれか１項に記載のコード収納装置と、
前記負荷部を含み、前記コードの前記一端に接続される照明器具と
を備える、照明セット。
【発明の詳細な説明】
【技術分野】
【０００１】
本発明は、照明器具に接続されるコードを収納するコード収納装置及び照明セットに関する。
【背景技術】
【０００２】
特許文献１に記載されたコード調節具は、照明器具の電力供給コードの長さを調節する。調節具本体は、連結部と、上壁部と、下壁部と、下側コード挿通孔と、突出部とを備える。上壁部と下壁部とは、連結部によって連結され、互いに対向配設される。下側コード挿通孔は下壁部に形成され、下側コード挿通孔には電力供給コードが挿通される。突出部は、連結部の外面に形成される。
【０００３】
下側コード挿通孔を挿通した電力供給コードの余分な部分は、上壁部と下壁部との間で弛ませられる。そして、電力供給コードの余剰な部分は、ループ状にしてから連結部の周りに巻いたのち突出部に掛け留めされる。その結果、コードの長さを調節できる。
【先行技術文献】
【特許文献】
【０００４】
【特許文献１】特開２００６−２９４３４５号公報
【発明の概要】
【発明が解決しようとする課題】
【０００５】
しかしながら、特許文献１に記載されたコード調節具には、次のような課題があった。すなわち、電力供給コードの余分な部分を、巻く作業に加えて、掛け留めする作業が要求される。従って、電力供給コードを収納するための手間がかかる。
【０００６】
本発明は上記課題に鑑みてなされたものであり、その目的は、容易にコードを収納できるコード収納装置および照明セットを提供することにある。
【課題を解決するための手段】
【０００７】
本願に開示するコード収納装置は、負荷部に電力を供給するコードを収納する。コード収納装置は、コード保持部と、コード引出部と、ベース部とを備える。コード保持部は、内面を有し、折り返されている前記コードを束ねるように、前記内面で前記コードを保持する。コード引出部は、前記コードの一端が引き出されている。ベース部は、取付面に取り付けられる。前記コード保持部は、第１保持部と、第２保持部とを含む。前記第１保持部は、前記ベース部に対向すると共に前記ベース部に沿って延びている。前記第２保持部は、前記第１保持部の基端部から前記ベース部に向かって延びている。
【０００９】
本願に開示するコード収納装置において、前記コード保持部は、第３保持部を含むことが好ましい。第３保持部は、前記第１保持部の先端部から前記ベース部に向かって延びていることが好ましい。
【００１０】
本願に開示するコード収納装置において、前記第３保持部の先端は、前記ベース部から離間していることが好ましい。
【００１１】
本願に開示するコード収納装置は、第１カバー部をさらに備えることが好ましい。第１カバー部は、前記コード保持部と前記コード引出部とを覆うことが好ましい。前記コード引出部は、前記コードを挟持している挟持部と、前記挟持部が固定される固定部とを含むことが好ましい。前記第１カバー部は、前記挟持部に螺合している螺合部を含むことが好ましい。前記螺合部の先端は、前記固定部に当接していることが好ましい。
【００１２】
本願に開示するコード収納装置において、前記螺合部の前記先端が前記固定部に当接しているときに、前記第１カバー部の基端は、前記ベース部のうち前記取付面に対向する面よりも、前記コードの引出方向に向かって前記固定部の側に位置していることが好ましい。
【００１３】
本願に開示するコード収納装置は、電源部と、収容部とをさらに備えることが好ましい。電源部は、前記コードを介して前記負荷部としての光源部に電力を供給することが好ましい。収容部は、前記電源部を収容することが好ましい。平面視において、前記コード保持部と前記コード引出部と前記収容部とは、互いに異なる位置に配置されていることが好ましい。
【００１４】
本願に開示するコード収納装置は、第２カバー部をさらに備えることが好ましい。第２カバー部は、前記収容部を覆うことが好ましい。前記第２カバー部は、前記ベース部に向かって、前記電源部から延びる前記コードを押圧していることが好ましい。
【００１５】
本願に開示する照明セットは、上記コード収納装置と、照明器具とを備える。照明器具は、前記負荷部を含み、前記コードの前記一端に接続される。
【発明の効果】
【００１６】
本発明によれば、容易にコードを収納できる。
【図面の簡単な説明】
【００１７】
【図１】本発明の実施形態に係る照明セットを示す斜視図である。
【図２】本発明の実施形態に係るコード収納装置の本体部を示す斜視図である。
【図３】本発明の実施形態に係るコード収納装置から第１カバー部を取り外したときのコード収納装置を示す斜視図である。
【図４】本発明の実施形態に係るコード収納装置から第１カバー部を取り外したときのコード収納装置を示す平面図である。
【図５】本発明の実施形態に係るコード収納装置の第２カバー部がコードを押圧しているときのコード収納装置の一部を示す断面図である。
【図６】本発明の実施形態に係るコード収納装置の第１カバー部の内面を示す斜視図である。
【図７】本発明の実施形態に係るコード収納装置を示す断面図である。
【発明を実施するための形態】
【００１８】
以下、本発明の実施形態について、図面を参照しながら説明する。なお、図中、同一または相当部分については同一の参照符号を付して説明を繰り返さない。また、本実施形態では、Ｘ軸及びＹ軸は水平方向に略平行であり、Ｚ軸は鉛直方向に略平行であり、Ｘ軸、Ｙ軸、及びＺ軸は互いに直交する。Ｚ軸の正方向は重力方向の反対方向を示す。
【００１９】
図１は、本発明の実施形態に係る照明セット１００を下側から見た斜視図である。図１に示すように、照明セット１００は、コード収納装置１と、照明器具２００とを備える。コード収納装置１は、取付面Ｃに取り付けられる。取付面Ｃは、例えば、天井ボードの裏面と表面とのうちの表面である。本実施形態では、取付面Ｃは水平方向に沿って延びる。なお、取付面Ｃは水平方向に対して傾斜していてもよい。コード収納装置１はコード５を収納する。
【００２０】
コード収納装置１は、第１カバー部６０を備える。第１カバー部６０の先端には、第１孔６１が形成されている。コード収納装置１に収納されたコード５の一端５ａは、第１孔６１から引き出され、照明器具２００に接続される。照明器具２００は光源部２０２（負荷部）を含む。コード５は、電力を光源部２０２に供給する。光源部２０２に供給する電力を内部電力と記載する場合がある。光源部２０２は、単数又は複数の発光素子を含む。発光素子は、例えば、ＬＥＤ（Ｌｉｇｈｔ  Ｅｍｉｔｔｉｎｇ  Ｄｉｏｄｅ）である。なお、光源部２０２は、発光素子に代えて、蛍光灯又は白熱電球を含んでもよい。
【００２１】
図２は、コード収納装置１から第１カバー部６０を取り外したときのコード収納装置１を示す斜視図である。図２に示すように、コード収納装置１は、本体部２をさらに備える。本体部２は、ベース部１０、コード引出部２０、コード保持部３０、電源部４０、及び収容部５０を備える。なお、図２では、主に本体部２を示し、説明の便宜のため、他の構成を、二点鎖線で示し、又は省略している。
【００２２】
ベース部１０は、取付面Ｃ（図１）に取り付けられる。ベース部１０は、本実施形態では、略円形状である。ベース部１０は、例えば、金属で形成される。なお、ベース部１０は、樹脂で形成されてもよい。また、ベース部１０は、例えば、プレス加工によって作製される。この場合、金型が不要となり、コストを削減できる。ベース部１０には、略矩形状の第１開口１１が形成されている。
【００２３】
コード引出部２０は、ベース部１０のうち取付面Ｃ（図１）に対向する面（以下、対向面１０ａと記載する。）の反対側に位置する。コード引出部２０は、本実施形態では、断面視略Ｕ字状である。コード引出部２０の両端には、略矩形状の一対の第２開口２１が形成されている。コード引出部２０は、固定部２３及び一対の側壁部２４を含む。固定部２３は、ベース部１０に沿って延び、略平板状であり、第１開口１１に対向している。固定部２３には、第２孔２２が形成されている。第２孔２２は第１孔６１（図１）に対向している。一対の側壁部２４の各々は、略平板状であり、固定部２３からベース部１０に向かって延びている。一対の側壁部２４は、互いに対向している。
【００２４】
コード保持部３０は、ベース部１０のうちの対向面１０ａの反対側に位置する。コード保持部３０は、本実施形態では、断面視略Ｕ字状である。コード保持部３０は、第１保持部３１と第２保持部３２と第３保持部３３とを含む。
【００２５】
第１保持部３１は、ベース部１０に対向すると共に、ベース部１０の径方向外側に向かって、ベース部１０に沿って延びている。すなわち、第１保持部３１は、ベース部１０に略平行であると共に、略平板状である。また、第１保持部３１は、一対の側壁部２４のうちの一方の側壁部２４から延びている。
【００２６】
第２保持部３２は、第１保持部３１の基端部からベース部１０に向かって延びている。本実施形態では、一対の側壁部２４のうちの一方の側壁部２４の一部が、第２保持部３２として機能している。
【００２７】
第３保持部３３は、第１保持部３１の先端部から屈曲し、第１保持部３１の先端部からベース部１０に向かって延びている。第３保持部３３は第２保持部３２に対向している。第３保持部３３の先端３３ａは、ベース部１０から離間している。具体的には、第３保持部３３の先端３３ａとベース部１０とは、所定間隔Ｌ１だけ離れている。
【００２８】
コード保持部３０は内面３０ａを有する。内面３０ａは、第１保持部３１のうちベース部１０に対向する面と、第２保持部３２のうち第３保持部３３に対向する面と、第３保持部３３のうち第２保持部３２に対向する面とで構成される。なお、ベース部１０には、軽量化を図るため、第１保持部３１及び第３保持部３３に対向して、略矩形状の第３開口３５が形成されている。
【００２９】
電源部４０は、ベース部１０のうちの対向面１０ａの反対側に位置する。電源部４０には、コード５及びコード６ａが接続されている。電源部４０は、コード５を介して光源部２０２（図１）に電力を供給する。
【００３０】
収容部５０は、ベース部１０のうちの対向面１０ａの反対側に位置する。収容部５０は、電源部４０を収容する。収容部５０は、第１平板部５１、第２平板部５２、第３平板部５３及び湾曲部５４を含む。第１平板部５１と第２平板部５２と第３平板部５３と湾曲部５４とは、平面視において、略Ｄ字状の壁部を構成する。第１平板部５１と第２平板部５２と第３平板部５３とは一直線上に配置される。
【００３１】
第１平板部５１は、湾曲部５４のうちの一方端に接続するように、ベース部１０から立設されている。第２平板部５２は、第１平板部５１と第３平板部５３との間に位置し、ベース部１０から立設されている。本実施形態では、第２平板部５２の一部が、一対の側壁部２４のうちの他方の側壁部２４として機能している。第３平板部５３は、湾曲部５４のうちの他方端に接続するように、ベース部１０から立設されている。湾曲部５４は、ベース部１０の周縁に沿って、ベース部１０から立設されている。
【００３２】
第１平板部５１と第２平板部５２とは離間している。従って、第１平板部５１と第２平板部５２との間には、第１間隙５５ａが形成されている。電源部４０に接続されたコード５は、第１間隙５５ａから引き出されている。第２平板部５２と第３平板部５３とは離間している。従って、第２平板部５２と第３平板部５３との間には、第２間隙５５ｂが形成されている。電源部４０に接続されたコード６ａは、第２間隙５５ｂから引き出されている。
【００３３】
ベース部１０には、突出部１２ａ、突出部１２ｂ、突出部１２ｃ、及び突出部１２ｄが形成されている。突出部１２ａ、突出部１２ｂ、突出部１２ｃ、及び突出部１２ｄの各々は、例えば略直線状に延びている。
【００３４】
突出部１２ａは、第１間隙５５ａに進入するように、ベース部１０から突出している。換言すれば、突出部１２ａは、第１平板部５１の側端面と第２平板部５２の側端面との間に位置し、ベース部１０から突出している。突出部１２ｂは、収容部５０の外側に位置している。そして、突出部１２ｂは、突出部１２ａに沿って突出部１２ａに対向するように、ベース部１０から突出している。
【００３５】
突出部１２ｃは、第２間隙５５ｂに進入するように、ベース部１０から突出している。換言すれば、突出部１２ｃは、第２平板部５２の側端面と第３平板部５３の側端面との間に位置し、ベース部１０から突出している。突出部１２ｄは、収容部５０の外側に位置している。そして、突出部１２ｄは、突出部１２ｃに沿って突出部１２ｃに対向するように、ベース部１０から突出している。
【００３６】
図３は、コード収納装置１から第１カバー部６０を取り外したときのコード収納装置１を示す斜視図である。図３に示すように、コード引出部２０は、ナット２５及び挟持部２６を含む。
【００３７】
図２及び図３に示すように、挟持部２６は、第２孔２２に挿入され、ナット２５によって固定部２３に固定される。挟持部２６は、略円筒状であり、コード５が引き出されるように形成されている。すなわち、コード５は、挟持部２６に挿通されて、引き出される。挟持部２６の外表面にはネジ山が形成されている。
【００３８】
コード収納装置１は、収容部５０を覆う第２カバー部７０と、コネクタ７とをさらに備える。第２カバー部７０は、ベース部１０に向かって、電源部４０から延びるコード５とコード６ａとを押圧している。
【００３９】
具体的には、第２カバー部７０は、第１押圧部７１、第２押圧部７２、掩蔽部７３及び切欠部７５を含む。掩蔽部７３は、略半円形状であり、電源部４０を掩蔽している。具体的には、掩蔽部７３の外縁は、劣弧状の縁と直線状の縁とを含む。掩蔽部７３の劣弧状の縁は、湾曲部５４の湾曲に沿っている。掩蔽部７３は、略平板状であり、ベース部１０に略平行である。掩蔽部７３は、２つの固定具７４によって、収容部５０に固定されている。固定具７４は、例えば、ネジである。第２カバー部７０は、例えば、金属で形成されている。
【００４０】
第１押圧部７１は、略平板状であり、略矩形状である。第１押圧部７１は、掩蔽部７３から略直角に屈曲し、掩蔽部７３からベース部１０に向かって延びている。第１押圧部７１は、第１平板部５１と第１間隙５５ａと第２平板部５２の一端部とに対向し、第１平板部５１と第１間隙５５ａと第２平板部５２の一端部とを覆う。第１押圧部７１は、ベース部１０に向かって、コード５を押圧する。
【００４１】
第２押圧部７２は、略平板状であり、略矩形状である。第２押圧部７２は、掩蔽部７３から略直角に屈曲し、掩蔽部７３からベース部１０に向かって延びている。第２押圧部７２は、第３平板部５３と第２間隙５５ｂと第２平板部５２の他端部とに対向し、第３平板部５３と第２間隙５５ｂと第２平板部５２の他端部とを覆う。第２押圧部７２は、ベース部１０に向かって、コード６ａを押圧する。
【００４２】
切欠部７５は、第１押圧部７１と第２押圧部７２との間に形成される。第２平板部５２のうち側壁部２４として機能する部分は、切欠部７５から露出している。
【００４３】
コード６ａは、第２押圧部７２とベース部１０との間から引き出され、コネクタ７に接続される。そして、コード６ａは、コネクタ７を介してコード６ｂに接続される。コード６ｂは、外部電源に接続されており、第１開口１１からコード収納装置１に挿入される。そして、コード６ｂは、一対の第２開口２１のうちの一方の第２開口２１を通過して、コネクタ７に接続される。本実施形態において、外部電源は商用電源である。従って、電源部４０には、コード６ｂ、コネクタ７、及びコード６ａを介して外部電力が供給される。電源部４０は、光源部２０２の仕様に基づいて、外部電力（交流）を内部電力（直流）に変換し、内部電力をコード５を介して光源部２０２に供給する。
【００４４】
コード５は、第１押圧部７１とベース部１０との間から引き出され、複数回折り返される。コード保持部３０の内面３０ａは、折り返されているコード５を束ねるように保持する。そして、コード５の一端５ａは、コード引出部２０から照明器具２００に向かって引き出される。具体的には、コード５の一端５ａは、一対の第２開口２１のうちのいずれかを通り、挟持部２６に挿通される。更に、コード５の一端５ａは、挟持部２６から照明器具２００に向かって引き出される。そして、コード５の一端５ａは、光源部２０２（図１）に接続される。
【００４５】
以上、図１〜図３を参照して説明したように、本実施形態によれば、コード収納装置１はコード保持部３０を備える。従って、作業者は、コード５を複数回折り返して、コード保持部３０の内面３０ａにコード５を保持させ、コード５を容易に束ねることができる。つまり、コード収納装置１に容易にコード５を収納できる。例えば、一般的なコード調節具で実行されるような、コードの余分な部分を掛け留めする作業を省略できる。その結果、容易にコード５を収納できる。例えば、一般的なコード調節具で実行されるような、特定の部材にコードを円形状に巻き付ける煩雑な作業ではなく、コード５を折り返す簡素な作業によって、コード５を収納できる。
【００４６】
また、本実施形態によれば、コード５を折り返して収納するため、一般的なコード調節具で実行されるような、巻き付け後のコードの余分な部分が発生しない。その結果、コード５の弛みの発生を抑制しつつ、コード５を束ねたまま確実に保持できる。なお、一般的なコード調節具では、コードの余分な部分が掛け留めされる。しかしながら、掛け留めによって、コードの弛みを確実に抑制することは困難である。
【００４７】
さらに、本実施形態によれば、一般的なコード調節具で実行されるような、特定の部材にコードを円形状に巻き付けて収納する場合と比較して、容易にコード５の長さを調節できる。コード５の長さは、第１カバー部６０の第１孔６１から照明器具２００までの長さを示す。例えば、コード５の折返し回数及び／又は折返し長を適宜調節することによって、容易にコード５の長さを調節できる。
【００４８】
さらに、本実施形態によれば、第３保持部３３の先端３３ａは、ベース部１０から離間している。従って、作業者は、折り返されたコード５を、第３保持部３３の先端３３ａとベース部１０との間隙を通して第１保持部３１とベース部１０との間の空間に挿入し、コード保持部３０の内面３０ａに保持させることができる。その結果、第３保持部３３の先端３３ａとベース部１０とが連結している場合と比較して、コード５を容易に収納できる。
【００４９】
さらに、本実施形態によれば、第１押圧部７１は、ベース部１０に向かって電源部４０から延びるコード５を押圧する。従って、照明器具２００の重量に基づく張力に起因した負荷がコード５にかかる場合であっても、コード５のうち第１押圧部７１と電源部４０との間の部分にかかる負荷が抑制される。その結果、コード５の破損又は破断を防止できると伴に、コード５と電源部４０との接続部分が外れることを防止できる。また、照明器具２００の重量によってコード５が収容部５０から徐々に引き出され、照明器具２００が不意に下降してしまうことを抑制できる。
【００５０】
さらに、本実施形態によれば、第２押圧部７２は、ベース部１０に向かって電源部４０から延びるコード６ａを押圧する。従って、取付面Ｆの裏面側からの張力に起因した負荷がコード６ａにかかる場合であっても、コード６ａのうち第２押圧部７２と電源部４０との間の部分にかかる負荷が抑制される。その結果、コード６ａの破損又は破断を防止できると伴に、コード６ａと電源部４０との接続部分が外れることを防止できる。また、コード６ａが収容部５０から徐々に引き出されることを抑制できる。
【００５１】
次に、図４を参照して、コード保持部３０とコード引出部２０と収容部５０との配置について説明する。図４は、コード収納装置１から第１カバー部６０を取り外したときのコード収納装置１を示す平面図である。図４では、図面の簡略化のため、突出部１２ａ〜突出部１２ｄを省略している。
【００５２】
図４に示すように、平面視において、コード保持部３０とコード引出部２０と収容部５０とは、互いに異なる位置に配置されている。従って、コード保持部３０とコード引出部２０と収容部５０とは、ベース部１０に沿って並んでいる。その結果、本体部２、ひいては、コード収納装置１を薄型化できる。
【００５３】
具体的には、コード保持部３０とコード引出部２０と収容部５０とが、ベース部１０に略平行な方向に沿って並んで配置される。従って、コード保持部３０とコード引出部２０と収容部５０とがベース部１０に略直交する一直線上に配置される場合と比較して、コード収納装置１を薄型化できる。その結果、本実施形態によれば、コード収納装置１を取付面Ｃに取り付けたときに、コード収納装置１の取付面Ｃからの突出量を抑制でき、コード収納装置１と取付面Ｃとの一体感を実現できる。
【００５４】
また、本実施形態によれば、第１保持部３１は、略平板状であり、ベース部１０に沿って延びている。加えて、第３保持部３３は、第１保持部３１からベース部１０に向かって延びている。従って、コード保持部３０を薄型化できる。その結果、コード収納装置１を更に薄型化できる。
【００５５】
次に、図５を参照して、第２カバー部７０に押圧されるコード５について説明する。図５は、第２カバー部７０の第１押圧部７１がコード５を押圧しているときのコード収納装置１の一部を示す断面図である。
【００５６】
図５に示すように、第１押圧部７１は、ベース部１０のうち突出部１２ａと突出部１２ｂとの間の面に向かって、コード５を押圧する。一方、コード５は、突出部１２ａ及び突出部１２ｂによって、第１押圧部７１による押圧方向と反対方向に押圧される。従って、コード５にかかる張力によってコード５が収容部５０から引き出されることをさらに抑制できる。
【００５７】
具体的には、第１押圧部７１は、当接部７１ａを有する。当接部７１ａは第２押圧部７２の先端部を折り返すことにより形成されている。従って、当接部７１ａの外表面は、断面視略Ｕ字状であり、曲面を含む。当接部７１ａの曲面がコード５に当接するため、コード５の被覆に損傷を与えることを軽減できる。また、突出部１２ａ及び突出部１２ｂの各々の表面は、断面視略Ｕ字状であり、曲面を含む。従って、突出部１２ａ及び突出部１２ｂの各々の曲面がコード５に当接するため、コード５の被覆に損傷を与えることを更に軽減できる。
【００５８】
なお、図３に示すように、第２押圧部７２は当接部７２ａを有する。当接部７２ａの構成は図５に示す当接部７１ａの構成と同様である。従って、当接部７２ａの曲面がコード６ａに当接するため、コード６ａの被覆に損傷を与えることを軽減できる。また、図２に示す突出部１２ｃ及び突出部１２ｄの各々の構成は、図５に示す突出部１２ａ及び突出部１２ｂの各々の構成と同様である。従って、突出部１２ｃ及び突出部１２ｄの各々の曲面がコード６ａに当接するため、コード６ａの被覆に損傷を与えることを更に軽減できる。
【００５９】
次に、図６及び図７を参照して第１カバー部６０について説明する。図６は、第１カバー部６０の内面を示す斜視図である。図６に示すように、第１カバー部６０は有底円筒状である。第１カバー部６０は、例えば、金属又は樹脂で形成される。第１カバー部６０は、螺合部６２を含む。螺合部６２は、第１カバー部６０の略中央部において、第１カバー部６０の内面から突出している。
【００６０】
螺合部６２は、外壁部６３、本体部６４及び複数のリブ６６を含む。外壁部６３は、本実施形態において、略円筒状である。本体部６４は、外壁部６３に囲まれており、略円筒状である。本体部６４の内表面で規定される略円柱状の空間は、第１孔６１（図１）に連通する。本体部６４の内表面にはネジ溝（不図示）が形成されている。複数のリブ６６は外壁部６３及び本体部６４を補強する。
【００６１】
図７は、コード収納装置１を示す断面図である。図７では、図面の簡略化のため、コード保持部３０に束ねて保持されるコード５を省略している。図７に示すように、螺合部６２は、挟持部２６に螺合する。具体的には、本体部６４のネジ溝は、挟持部２６のネジ山に螺合する。螺合部６２が挟持部２６に螺合すると、螺合部６２の先端６３ａが固定部２３に当接する。具体的には、外壁部６３の先端６３ａが、固定部２３に当接する。なぜなら、外壁部６３の先端６３ａは、本体部６４の先端よりも、固定部２３の側に突出しているからである。
【００６２】
螺合部６２は、挟持部２６に螺合することによって、挟持部２６の内径が小さくなるように挟持部２６を締め付ける。つまり、挟持部２６は、内径が小さくなるように弾性変形が可能である。その結果、挟持部２６は、内径が小さくなることにより、挟持部２６に挿通されるコード５を締め付け、コード５を固定する。換言すれば、挟持部２６はコード５を挟持する。コード５は、第１孔６１を通過し、コード収納装置１の外部に引き出される。
【００６３】
螺合部６２の先端６３ａが固定部２３に当接しているとき、第１カバー部６０の基端６５は、ベース部１０のうちの対向面１０ａよりも、コード５の引出方向Ｄに向かって固定部２３の側に配置されている。コード５の引出方向Ｄは、ベース部１０から離れるように、挟持部２６が延びる方向を示す。具体的には、本実施形態において、第１カバー部６０の基端６５は、引出方向Ｄに向かって、ベース部１０のうちの対向面１０ａに対して距離Ｌ２だけ離れている。その結果、第１カバー部６０の基端６５は、引出方向Ｄに向かって、取付面Ｃに対して距離Ｌ２だけ離れている。例えば、距離Ｌ２は、０ｍｍより大きく１ｍｍ以下であり、好ましくは、０．５ｍｍ以上１ｍｍ未満であり、より好ましくは、０．５ｍｍである。
【００６４】
第１カバー部６０の第１孔６１から照明器具２００までのコード５の長さを調整する場合、第１カバー部６０を例えば反時計回りに回転させて、挟持部２６から螺合部６２を外す。その結果、弾性変形していた挟持部２６が元の形状に復帰して、小さくなっていた挟持部２６の内径が復帰し、コード５に対する締め付けが緩む。挟持部２６が緩むと、コード保持部３０に保持されたコード５を所望の長さだけ解いて、コード５を所望の長さだけコード保持部３０から引き出したり、コード５を折り返して、コード５を所望の長さだけコード保持部３０に保持させたりできる。
【００６５】
そして、第１カバー部６０を例えば反時計回りに回転させて、螺合部６２を挟持部２６に螺合する。その結果、挟持部２６が締め付けられ、挟持部２６によってコード５が挟持される。
【００６６】
第１カバー部６０を回転させて、コード５のコード収納装置１に収納される長さを調整すること、すなわちコード５のコード収納装置１から引き出す長さを調整することによって、コード収納装置１から照明器具２００までのコード５の長さを自在に調整できる。例えば、コード収納装置１からコード５を引き出すことによって、コード収納装置１から照明器具２００までのコード５の長さを長くすることができる。
【００６７】
以上、図６及び図７を参照して説明したように、本実施形態によれば、螺合部６２の先端６３ａが固定部２３に当接しているときに、第１カバー部６０の基端６５は、ベース部１０のうちの対向面１０ａよりも固定部２３の側に配置されている。従って、第１カバー部６０が取付面Ｃに接触することを抑制できる。その結果、取付面Ｃと第１カバー部６０とが接触することに起因した、取付面Ｃの損傷が抑制される。
【００６８】
また、本実施形態によれば、挟持部２６がコード５を締め付け、コード５が固定される。従って、照明器具２００の重量に基づく張力に起因した負荷がコード５にかかる場合であっても、コード５のうち挟持部２６と電源部４０との間の部分にかかる負荷が抑制される。その結果、コード５の破損又は破断を更に防止できると伴に、コード５と電源部４０との接続部分が外れることを更に防止できる。また、コード５がコード収納装置１から引き出されることを抑制でき、ひいては、第１カバー部６０の第１孔６１から照明器具２００までの長さを維持できる。
【００６９】
さらに、本実施形態によれば、螺合部６２は外壁部６３を有する。従って、本体部６４が補強され、ひいては、挟持部２６が補強される。その結果、コード５によって、挟持部２６に対して、引出方向Ｄに交差する方向に力が加わった場合でも、挟持部２６が撓むことを抑制できるとともに、第１カバー部６０の変形を抑制できる。なお、例えば、取付面Ｆが傾斜しているときに、照明器具２００の重量によって、挟持部２６に対して、引出方向Ｄに交差する方向に力が加わる場合がある。
【００７０】
さらに、本実施形態によれば、リブ６６によって、本体部６４が更に補強され、ひいては、挟持部２６が更に補強される。その結果、挟持部２６が撓むことを更に抑制できるとともに、第１カバー部６０の変形を更に抑制できる。
【００７１】
さらに、本実施形態によれば、螺合部６２の先端６３ａは、固定部２３に当接している。従って、本体部６４が更に補強され、ひいては、挟持部２６が更に補強される。その結果、挟持部２６が撓むことを更に抑制できるとともに、第１カバー部６０の変形を更に抑制できる。
【００７２】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（１１））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００７３】
（１）図２を参照して説明したように、本実施形態では、第３保持部３３の先端３３ａは、ベース部１０から離間していた。ただし、第３保持部３３の先端３３ａは、ベース部１０に当接又は接続していてもよい。
【００７４】
（２）図２を参照して説明したように、本実施形態では、１つのコード保持部３０が設けられていたが、複数のコード保持部３０が設けられてもよい。
【００７５】
（３）図４を参照して説明したように、本実施形態では、平面視において、コード保持部３０とコード引出部２０と収容部５０とは、互いに異なる位置に配置されているが、コード保持部３０とコード引出部２０と収容部５０のうち少なくとも１つが異なる位置に配置されてもよい。この場合、コード保持部３０とコード引出部２０と収容部５０とがベース部１０に略直交する一直線上に配置される場合と比較して、コード収納装置１を薄型化できる。
【００７６】
（４）図２を参照して説明したように、本実施形態では、コード収納装置１は、電源部４０及び収容部５０を備えるが、電源部４０及び収容部５０を備えなくてもよい。
【００７７】
（５）図２を参照して説明したように、本実施形態では、ベース部１０は、平面視において略円形状であったが、ベース部１０の形状は略円形状に限定されず、任意の形状でよい。例えば、ベース部１０は、平面視において、略多角形状であってもよい。
【００７８】
（６）図１を参照して説明したように、本実施形態において、取付面Ｃは、水平方向に沿って延びているが、取付面Ｃは、水平方向に対して傾斜していてもよい。
【００７９】
（７）図２を参照して説明したように、本実施形態において、コード保持部３０は、断面視略Ｕ字状であったが、コード保持部３０の形状は特に限定されない。例えば、第３保持部３３と第１保持部３１と第２保持部３２とで、断面視略円弧状を形成してもよいし、第１保持部３１と第３保持部３３とで、断面視略円弧状を形成してもよい。例えば、第１保持部３１と第２保持部３２と第３保持部３３との各々は、断面視略直線状又は断面視略曲線状であってもよい。例えば、第１保持部３１と第２保持部３２と第３保持部３３とのうちの全部又は一部が、ベース部１０に対して傾斜していてもよい。また、第１保持部３１と第２保持部３２と第３保持部３３との各々は、略平板状に限定されない。これら変形例において、コード保持部３０のうちベース部１０の径方向内側に位置する部分が第２保持部３２に対応し、コード保持部３０のうちベース部１０の径方向外側に位置する部分が第３保持部３３に対応し、コード保持部３０のうち第２保持部３２と第３保持部３３との間に位置する部分が第１保持部３１に対応する。また、第１保持部３１と第２保持部３２と第３保持部３３とのうちの全部又は一部が、構造上区別されるように形成されていなくてもよい。
【００８０】
（８）図２を参照して説明したように、本実施形態において、コード５は、複数回折り返された後にコード保持部３０に保持された。ただし、コード５は、１回折り返された後にコード保持部３０に保持されてもよい。
【００８１】
（９）図６を参照して説明したように、本実施形態において、外壁部６３は、略円筒状であるが、外壁部６３は、略角筒状であってもよい。
【００８２】
（１０）図２を参照して説明したように、本実施形態において、コード保持部３０は、第１保持部３１と第２保持部３２と第３保持部３３とを含む。ただし、コード保持部３０は、第１保持部３１と第２保持部３２とを含み、第３保持部３３を含まなくてもよい。この場合、第１保持部３１と第２保持部３２とによって、複数回折り返されたコード５を規制できるため、コード５を容易に束ねることができる。なお、第３保持部３３を含むことが更に好ましい。
【００８３】
（１１）図１を参照して説明したように、本実施形態において、コード５の一端５ａは、第１孔６１から引き出され、負荷部としての光源部２０２に接続された。ただし、電源部４０を照明器具２００に配置し、負荷部としての電源部４０にコード５の一端５ａを接続してもよい。この場合は、収容部５０は不要であり、コード５の他端は外部電源に接続される。従って、コード５は、外部電力を電源部４０に供給する。
【産業上の利用可能性】
【００８４】
本発明は、照明器具に接続されるコードを収納するコード収納装置の分野に利用可能である。
【符号の説明】
【００８５】
１      コード収納装置
５      コード
１０    ベース部
２０    コード引出部
２３    固定部
２６    挟持部
３０    コード保持部
３０ａ  内面
３１    第１保持部
３２    第２保持部
３３    第３保持部
４０    電源部
５０    収容部
６０    第１カバー部
６２    螺合部
７０    第２カバー部
１００    照明セット
２００    照明器具
２０２  光源部（負荷部）
Ｃ      取付面
Ｄ      引出方向
【図１】
0006605994.tif 000002
【図２】
0006605994.tif 000003
【図３】
0006605994.tif 000004
【図４】
0006605994.tif 000005
【図５】
0006605994.tif 000006
【図６】
0006605994.tif 000007
【図７】
0006605994.tif 000008